(57)【要約】【課題】電力系統に問題が生じる恐れのある遮断器操作を操作前に把握して電力系統の故障を防止することができる遮断器操作判定システムを提供する。【解決手段】電力系統内の遮断器の開閉状態を記憶した開閉状態記憶手段５と、各遮断器の操作可否の前提となる前提条件を記憶した前提条件記憶手段４と、操作可否を判定する遮断器の模擬操作を指示する模擬操作指示手段１と、指示された操作の前提条件と前記開閉状態記憶手段５に記憶された遮断器の開閉状態を比較して遮断器の操作可否を判定する判定手段２とから構成してある。【選択図】図１
2008017673.tif 000002
【特許請求の範囲】
【請求項１】
電力系統内の遮断器の開閉状態を記憶した開閉状態記憶手段と、各遮断器の操作可否の前提となる前提条件を記憶した前提条件記憶手段と、操作可否を判定する遮断器の模擬操作を指示する模擬操作指示手段と、指示された操作の前提条件と前記開閉状態記憶手段に記憶された遮断器の開閉状態を比較して遮断器の操作可否を判定する判定手段とからなる遮断器操作判定システム。
【請求項２】
前記判定手段が遮断器の操作を可能と判定したときに、前記開閉状態記憶手段が電力系統内の遮断器の開閉状態を操作後の状態に置き換えるようにした請求項１に記載の遮断器操作判定システム。
【請求項３】
前記判定手段が、遮断器の操作を不能と判定したときに前提条件が不成立の箇所を表示するようにした請求項１又は２に記載の遮断器操作判定システム。
【請求項４】
前記判定手段が、電力系統内の通電状態を表示する表示手段を備えた請求項１乃至３の何れかに記載の遮断器操作判定システム。
【請求項５】
前記前提条件記憶手段が電力系統内の通電状態又は遮断器の開閉状態等の固定条件を記憶する手段を備えると共に、前記判定手段が該固定条件の成否を判定する手段を備えた請求項１乃至４の何れかに記載の遮断器操作判定システム。
【請求項６】
電力系統内の遮断器を開閉操作する制御装置を備え、前記模擬操作指示手段が遮断器の実操作信号の入力を受けて模擬操作を指示し、前記判定手段が遮断器の操作を可能と判定したときに前記実操作信号を前記制御装置に出力するようにした請求項１乃至５の何れかに記載の遮断器操作判定システム。
【発明の詳細な説明】
【技術分野】
【０００１】
本発明は、発電所、電力所、工場等における電力系統の遮断器の操作可否の判定を行う遮断器操作判定システムに関する。
【背景技術】
【０００２】
電力系統内の遮断器の開閉操作時には、操作者がシーケンス図等を読み、これから行う遮断器操作の前提条件の成立可否を判断すると共に、遮断器操作の波及効果を予測して実操作の可否を判断していた。このように電力系統内の遮断器の開閉操作は、操作者の経験やイメージ能力に依存していた。
また、操作者の経験やイメージ能力を補うために、電力系統における事故を模擬して、故障発生時における電力系統操作の訓練を行う電力系統のシミュレーション方法は知られている（例えば、特許文献１参照）。
【０００３】
【特許文献１】特開平５−１９９６４７号公報
【発明の開示】
【発明が解決しようとする課題】
【０００４】
しかし、発電所、電力所、大規模プラント等の電力系統では、系統内の遮断器の数が多いことから第２，第３の操作による影響は複雑になり、経験の浅い操作者が判断するのは困難である。このため、遮断器操作の前提条件の成立や実操作の可否を操作者が認知できない状態で実操作を行うと、停電や事故等の問題が発生する恐れがあった。
また、特許文献１に記載のシミュレーション方法は、予想可能な電力系統の故障に対する復旧操作の訓練には役立つが、予期できないトラブルに対する対応ができないのみならず、電力系統に問題が生じる恐れのある遮断器操作を事前に把握して電力系統の故障を防止することができないという課題があった。
【０００５】
そこで、本発明は、電力系統に問題が生じる恐れのある遮断器操作を操作前に把握して電力系統の故障を防止することができる遮断器操作判定システムを提供するものである。
【課題を解決するための手段】
【０００６】
本発明は、上記課題を解決するために、電力系統内の遮断器の開閉状態を記憶した開閉状態記憶手段と、各遮断器の操作可否の前提となる前提条件を記憶した前提条件記憶手段と、操作可否を判定する遮断器の模擬操作を指示する模擬操作指示手段と、指示された操作の前提条件と前記開閉状態記憶手段に記憶された遮断器の開閉状態を比較して遮断器の操作可否を判定する判定手段とからなる遮断器操作判定システムを提供するものである。
【０００７】
また、本発明は、前記判定手段が遮断器の操作を可能と判定したときに、前記開閉状態記憶手段が電力系統内の遮断器の開閉状態を操作後の状態に置き換えるようにした請求項１に記載の遮断器操作判定システムを提供するものである。
【０００８】
また、本発明は、前記判定手段が、遮断器の操作を不能と判定したときに前提条件が不成立の箇所を表示するようにした請求項１又は２に記載の遮断器操作判定システムを提供するものである。
【０００９】
また、本発明は、前記判定手段が、電力系統内の通電状態を表示する表示手段を備えた請求項１乃至３の何れかに記載の遮断器操作判定システムを提供するものである。
【００１０】
また、本発明は、前記前提条件記憶手段が電力系統内の通電状態又は遮断器の開閉状態等の固定条件を記憶する手段を備えると共に、前記判定手段が該固定条件の成否を判定する手段を備えた請求項１乃至４の何れかに記載の遮断器操作判定システムを提供するものである。
【００１１】
また、本発明は、電力系統内の遮断器を開閉操作する制御装置を備え、前記模擬操作指示手段が遮断器の実操作信号の入力を受けて模擬操作を指示し、前記判定手段が遮断器の操作を可能と判定したときに前記実操作信号を前記制御装置に出力するようにした請求項１乃至５の何れかに記載の遮断器操作判定システムを提供するものである。
【発明の効果】
【００１２】
本発明に係る遮断器操作判定システムによれば、電力系統内の遮断器の開閉状態を記憶した開閉状態記憶手段と、各遮断器の操作可否の前提となる前提条件を記憶した前提条件記憶手段と、操作可否を判定する遮断器の模擬操作を指示する模擬操作指示手段と、指示された操作の前提条件と前記開閉状態記憶手段に記憶された遮断器の開閉状態を比較して遮断器の操作可否を判定する判定手段とからなる構成を有することにより、経験の浅い操作者でも遮断器操作の前提条件の成立や実操作の可否を迅速かつ確実に把握することができ、遮断器の誤操作による電力系統の停電や事故等の問題発生を防止することができる効果がある。
【００１３】
また、本発明は、前記判定手段が遮断器の操作を可能と判定したときに、前記開閉状態記憶手段が電力系統内の遮断器の開閉状態を操作後の状態に置き換えるようにした請求項１に記載の構成を有することにより、操作後の遮断器の開閉状態において、更に次の模擬操作を指示して操作可否を判定することができる効果がある。
【００１４】
また、本発明は、前記判定手段が、遮断器の操作を不能と判定したときに前提条件が不成立の箇所を表示するようにした請求項１又は２に記載の構成を有することにより、前提条件が不成立の箇所を容易に把握することができる効果がある。
【００１５】
また、本発明は、前記判定手段が、電力系統内の通電状態を表示する表示手段を備えた請求項１乃至３の何れかに記載の構成を有することにより、操作後の電力系統内の通電状態を実操作する前に把握することができる効果がある。
【００１６】
また、本発明は、前記前提条件記憶手段が電力系統内の通電状態又は遮断器の開閉状態等の固定条件を記憶する手段を備えると共に、前記判定手段が該固定条件の成否を判定する手段を備えた請求項１乃至４の何れかに記載の構成を有することにより、系統内機器の点検や修理のために通電状態又は遮断器の開閉状態等の状態を固定する必要がある場合に、確実に固定状態を維持することができる効果がある。
【００１７】
また、本発明は、電力系統内の遮断器を開閉操作する制御装置を備え、前記模擬操作指示手段が遮断器の実操作信号の入力を受けて模擬操作を指示し、前記判定手段が遮断器の操作を可能と判定したときに前記実操作信号を前記制御装置に出力するようにした請求項１乃至５の何れかに記載の構成を有することにより、遮断器の実操作信号を入力したときに操作可否の判定を行い、操作可能な場合にのみ実操作信号を制御装置に出力して遮断器を操作するから、電力系統に問題が生じる遮断器操作を確実に防止することができる効果がある。
【発明を実施するための最良の形態】
【００１８】
本発明の実施の形態を図示する実施例に基づいて説明する。
本発明に係る遮断器操作判定システムは、電力系統内の遮断器の開閉状態を記憶した開閉状態記憶手段５と、各遮断器の操作可否の前提となる前提条件を記憶した前提条件記憶手段４と、操作可否を判定する遮断器の模擬操作を指示する模擬操作指示手段１と、指示された操作の前提条件と前記開閉状態記憶手段５に記憶された遮断器の開閉状態を比較して遮断器の操作可否を判定する判定手段２とから構成してある。
【実施例１】
【００１９】
図１に示す実施例において、遮断器操作判定システムは、模擬操作指示手段１と判定手段２と表示手段３と前提条件記憶手段４と開閉状態記憶手段５を備えたパーソナルコンピュータ等からなる。
前提条件記憶手段４は、図５及び図６に示すように、各遮断器の操作内容毎に操作が成立するための前提条件を記憶してある。図中の「＋」記号はＡＮＤ条件を示してあり、矢印の左側の条件を満たしたときに矢印の右側の操作が成立する。
【００２０】
開閉状態記憶手段５は、図４に示すように電力系統内の遮断器データを格納してあり、各遮断器の開閉状態（自動投入、自動開放、手動投入、手動開放、トリップ）を記憶することができるように構成してある。また、開閉状態記憶手段５は、判定手段２が遮断器の操作を可能と判定したときに、電力系統内の遮断器の開閉状態を操作後の状態に置き換えて、第２，第３の模擬操作の判定を行うことができるようにしてある。
【００２１】
模擬操作指示手段１は、図４に示すように、遮断器毎に操作可能な操作内容を表示する手段を備えており、これから操作を行おうとしている遮断器の操作内容を選択して模擬操作を指示することができるように構成してある。
【００２２】
判定手段２は、模擬操作指示手段１で指示された操作の前提条件と、開閉状態記憶手段５に記憶された遮断器の開閉状態を比較して、これから操作を行おうとしている遮断器の操作可否を判定することができるように構成してある。判定手段２は、図５及び図６に示すように、模擬操作指示手段１で指示された操作の前提条件を表示する手段を備えており、遮断器の操作を不能と判定したときに前提条件が不成立の箇所を表示することができるようにしてある。また、判定手段２は、電力系統内の通電状態を表示する表示手段３を備えており、判定結果と共に問題の箇所を表示することができるようにしてある。
また、判定手段２は、遮断器の操作を可能と判定したときにはその旨を表示し、開閉状態記憶手段５に記憶された遮断器の開閉状態を操作後の状態に置き換えることができるようにしてある。
【実施例２】
【００２３】
図２に示す実施例において、遮断器操作判定システムは、電力系統内の遮断器を開閉操作する制御装置８を備え、模擬操作指示手段１が遮断器の実操作信号の入力を受けて模擬操作を指示し、判定手段２が遮断器の操作を可能と判定したときに実操作信号を制御装置８に出力することができるように構成してある。遮断器操作判定システムは、プラントを管理するプラント計算機に組み込んで設けることができ、開閉状態記憶手段５は制御装置８の実操作信号により各遮断器の開閉状態を更新することができるようにしてある。
【００２４】
図２に示すように、前提条件記憶手段４は、電力系統内の通電状態又は遮断器の開閉状態等の固定条件を記憶する固定条件記憶手段６を設けてある。固定条件記憶手段６は、固定条件入力手段７を備えており、遮断器や電気機器の点検・修理のために通電状態又は遮断器の開閉状態等を固定する必要がある箇所を入力することができるようにしてある。
【００２５】
また、判定手段２は、固定条件の成否を判定する手段を備え、前提条件が成立したと判定したときに、操作後の状態に置き換えた遮断器の開閉状態と固定条件記憶手段６に記憶された固定条件を比較して固定条件の成否を判定することができるように構成してある。判定手段２は、固定条件が成立したと判定したときに実操作信号を制御装置８に出力し、固定条件が不成立と判定したときに表示手段３が判定結果と共に問題の箇所を表示するようにしてある。
図２に示す実施例において、上記以外の構成は実施例１の構成と同様である。
【００２６】
次に、図２に示す遮断器操作判定システムの作用を図３に基づいて説明する。
模擬操作指示手段１が模擬操作の入力、又は遮断器の実操作信号の入力を受けると、判定手段２に模擬操作を指示する。判定手段２は、開閉状態記憶手段５及び前提条件記憶手段４から遮断器の開閉状態及び前提条件を読み込み、前提条件と開閉状態を比較して遮断器の操作可否を判定する。判定手段２は、前提条件が不成立と判断したときに、表示手段３に前提条件が不成立の箇所を表示する。
【００２７】
一方、判定手段２は、前提条件が成立したと判断したときには、開閉状態記憶手段５に記憶された遮断器の開閉状態を模擬操作後の状態に置き換えると共に、固定条件記憶手段６から固定条件を読み込み、置き換えた後の開閉状態と固定条件を比較して固定条件の成否を判定する。判定手段２は、固定条件が不成立と判断したときには、表示手段３に固定条件が不成立の箇所を表示し、固定条件が成立したと判断したときには遮断器操作可能の判定結果を表示する。このとき、模擬操作指示手段１が遮断器の実操作信号の入力を受けている場合には、判定手段２は実操作信号を制御装置８に出力して遮断器操作を実行する。
【００２８】
図２に示す遮断器操作判定システムにより、遮断器操作の前提条件の成否を迅速かつ確実に把握することができると共に、遮断器操作を実行した場合に他の遮断機の自動投入又は自動開放が実行して固定条件に変動を与えないかの確認をすることができる。
【図面の簡単な説明】
【００２９】
【図１】本発明に係る遮断器操作判定システムの一実施例を示す構成図。
【図２】本発明に係る遮断器操作判定システムの他の実施例を示す構成図。
【図３】その一実施例の動作を示すフローチャート。
【図４】模擬操作指示手段の一実施例を示す図。
【図５】前提条件の一例を示す図。
【図６】前提条件の一例を示す図。
【符号の説明】
【００３０】
１  模擬操作指示手段
２  判定手段
３  表示手段
４  前提条件記憶手段
５  開閉状態記憶手段
６  固定条件記憶手段
７  固定条件入力手段
８  制御装置
【図１】
2008017673.tif 000003
【図２】
2008017673.tif 000004
【図３】
2008017673.tif 000005
【図４】
2008017673.tif 000006
【図５】
2008017673.tif 000007
【図６】
2008017673.tif 000008